【事件の表示】
　平成　８年特許願第１７７５１５号「積層型ＬＣ複合部品」拒絶査定に対する審判事件［平成１０年　１月１６日出願公開、特開平１０−　１３１８０］について、次のとおり審決する。
【結　論】
　本件審判の請求は、成り立たない。
【理　由】
【１】手続きの経緯
　本願は、平成８年６月１８日に特許出願されたものであって、平成９年１月２４日付け及び平成１３年７月３日付けで手続補正がなされ、平成１３年７月２７日付けで拒絶査定がなされ、これに対して平成１３年９月１９日に不服の本件審判請求がなされるとともに、平成１３年１０月１８日付けで願書に添付した明細書についての手続補正書が提出されたものである。
　
【２】補正却下の決定
　平成１３年１０月１８日付け手続補正について、以下のとおり決定する。
　［結論］
　平成１３年１０月１８日付けの手続補正を却下する。
　［理由］
（１）手続補正の内容
　上記平成１３年１０月１８日付け手続補正（以下「本件補正」という。）について、本件補正は特許請求の範囲を以下のように補正するものである。
「【請求項１】　コンデンサ用導体が形成されたシートを積層することによってコンデンサを構成し、コイル用導体が形成されたシートを積層するとともに、コイル用導体を接続導体によってシート間で接続することでコイルを構成した積層型LC複合部品において、
　シートの積層体に少なくとも2つのコイルを近接して形成することにより負の相互インダクタンスを形成して擬似的なコイルを得るとともに、前記コンデンサ用導体の一部に共振周波数調整用の微小コイルを形成し、
　この微小コイルに前記擬似的なコイル及び前記コンデンサを加えて共振回路を構成したことを特徴とする積層型LC複合部品。
　【請求項２】　コンデンサ用導体が形成されたシートを積層することによってコンデンサを構成し、コイル用導体が形成されたシートを積層するとともに、コイル用導体を接続導体によってシート間で接続することでコイルを構成した積層型LC複合部品において、
　シートの積層体に少なくとも2つのコイルを近接して形成することにより負の相互インダクタンスを形成して擬似的なコイルを得るとともに、
　前記コンデンサ用導体が形成されたシートの一部を、誘電体材料もしくは低透磁率材料によって形成するとともに、
　該シート上に、コンデンサ用導体と接続する共振周波数調整用の微小コイルを形成し、
　この微小コイルに前記擬似的なコイル及び前記コンデンサを加えて共振回路を構成したことを特徴とする積層型LC複合部品。
　【請求項３】　前記コイルを、シートの積層体に並列的に形成したことを特徴とする請求項1又は2記載の積層型LC複合部品。
　【請求項４】　コイル用導体がシート間で重なるように形成したことを特徴とする請求項3記載の積層型LC複合部品。
　【請求項５】　前記コンデンサ用導体を接続導体によってシート間で接続するとともに、コイル用導体に対しても接続導体によって接続したことを特徴とする請求項1〜4のいずれかに記載の積層型LC複合部品。
　【請求項６】　前記コンデンサ用導体を積層体外部の接続電極よってシート間で接続するとともに、コイル用導体に対しても接続電極によって接続したことを特徴とする請求項1〜4のいずれかに記載の積層型LC複合部品。
　【請求項７】　前記コイルを構成するシートの積層体を複数備えており、これらの積層体を、結合度を変化させる保護用の絶縁体シートを介して直列的に形成したことを特徴とする請求項1〜6のいずれかに記載の積層型LC複合部品。」
（２）当審の判断
（2-1）本件補正の前の特許請求の範囲は、前記平成１３年７月３日付け手続補正によるものであって、次のとおりのものである。
「【請求項１】　コンデンサ用導体が形成されたシートを積層することによってコンデンサを構成し、コイル用導体が形成されたシートを積層するとともに、コイル用導体を接続導体によってシート間で接続することでコイルを構成した積層型LC複合部品において、
　シートの積層体に少なくとも2つのコイルを近接して形成することにより負の相互インダクタンスを形成して擬似的なコイルを得るとともに、前記コンデンサ用導体の一部に共振周波数調整用の微小コイルを形成し、
　この微小コイルに前記擬似的なコイル及び前記コンデンサを加えて共振回路を構成したことを特徴とする積層型LC複合部品。
　【請求項２】　前記コイルを、シートの積層体に並列的に形成したことを特徴とする請求項1記載の積層型LC複合部品。
　【請求項３】コイル用導体がシート間で重なるように形成したことを特徴とする請求項2記載の積層型LC複合部品。
　【請求項４】　前記コンデンサ用導体を接続導体によってシート間で接続するとともに、コイル用導体に対しても接続導体によって接続したことを特徴とする請求項1〜3のいずれかに記載の積層型LC複合部品。
　【請求項５】　前記コンデンサ用導体を積層体外部の接続電極よってシート間で接続するとともに、コイル用導体に対しても接続電極によって接続したことを特徴とする請求項1〜3のいずれかに記載の積層型LC複合部品。
　【請求項６】　コンデンサ用導体が形成されたシートを積層することによってコンデンサを構成し、コイル用導体が形成されたシートを積層するとともに、コイル用導体を接続導体によってシート間で接続することでコイルを構成した積層型LC複合部品において、
　前記コイルを構成するシートの積層体を複数備えており、これらの積層体を、結合度を変化させる保護用の絶縁体シートを介して直列的に形成することによって、前記コイル間に負の相互インダクタンスを形成し、これによって得た擬似的なコイルと前記コンデンサを利用して共振回路を構成したことを特徴とする積層型LC複合部品。
　【請求項７】　前記コンデンサ用導体の一部に共振周波数調整用の微小コイルを形成し、
　この微小コイルに前記擬似的なコイル及び前記コンデンサを加えて共振回路を構成したことを特徴とする請求項6記載の積層型LC複合部品。」
（2-2）検討
　本件補正は前記のとおりのものであって、その補正の前後の内容を対比してみると、請求項１は補正することなくそのまま請求項１として維持しながら、さらに請求項１に係る構成を限定した請求項２を新たに追加するとともに、補正前の請求項２〜５は新たに追加した請求項２をさらに引用して順次繰り下げ、新たな請求項３〜６とするものである。また、補正された新たな請求項７は、その引用形式において請求項６のみを引用するものから新たな請求項１〜６を引用するものに補正された。
　したがって、この補正は、新たに請求項２を増加するものであり、また新たな請求項３〜７に係る補正は、特許請求の範囲の減縮（限定的減縮）ではなく、いずれも請求項の削除、誤記の訂正及び明りょうでない記載の釈明にあたるものとも認められない。
（なお、補正前の請求項６は独立形式により記載されていたものであるが、仮に、本件補正により補正前の請求項６を単に補正後の新たな請求項２として配置換えして補正したものとしても、この補正後の新たな請求項２は、補正前の請求項６における構成「前記コイルを構成するシートの積層体を複数備えており、これらの積層体を、結合度を変化させる保護用の絶縁体シートを介して直列的に形成すること」によって、前記コイル間に負の相互インダクタンスを形成する構成が削除されており、その構成が拡張・変更されたものとなっているのであるから、この点でも本件補正は特許請求の範囲の減縮（限定的減縮）に適合するものではない。）
（2-3）むすび
　以上のとおりであって、本件補正は、特許法第１７条の２第４項の規定に違反するものであり、同法第１５９条第１項で準用する同法第５３条第１項の規定により却下すべきものである。
　
【３】本願発明について
（１）本願発明
　本願は、前記【２】のとおり平成１３年１０月１８日付けの手続補正が却下されたので、その請求項１乃至７に係る発明は、平成１３年７月３日付け手続補正書により補正された特許請求の範囲に記載されたとおりのものであって、その請求項１に係る発明（以下「本願発明」という。）は、以下のとおりのものと認める。　
「【請求項１】　コンデンサ用導体が形成されたシートを積層することによってコンデンサを構成し、コイル用導体が形成されたシートを積層するとともに、コイル用導体を接続導体によってシート間で接続することでコイルを構成した積層型LC複合部品において、
　シートの積層体に少なくとも2つのコイルを近接して形成することにより負の相互インダクタンスを形成して擬似的なコイルを得るとともに、前記コンデンサ用導体の一部に共振周波数調整用の微小コイルを形成し、
　この微小コイルに前記擬似的なコイル及び前記コンデンサを加えて共振回路を構成したことを特徴とする積層型LC複合部品。」
（２）引用刊行物
（2-1）原査定の拒絶の理由に引用された刊行物の実願平１ー１４７１５２号（実開平3-86619号）のマイクロフイルム（以下「引用例１」という。）には、その実施例及び図面とこれに係わる記載を参酌すると、以下のとおりの記載が認められる。
・「次に本発明の実施例を図面に基づいて説明する。Fe2O3、ZnO、NiO、CuOを主成分とするNi-Zn-Cuフェライトの粉末とポリビニルブチラールを含有するバインダーとの混合物を用いて、ドクターブレード法により厚さ100μmの長尺な磁性体グリーンシートを作製した。これを所定の寸法に切断し、それぞれを積層したときに層間の接続をするために必要な位置にスルーホールを設けた。次に第2図に示すように、切断した各磁性体グリーンシートにAg粉末とビヒクルからなるAg導体ペーストをスクリーン印刷法により印刷し、磁性体グリーンシート1aに導体パターン1bを形成したコイル用グリーンシート1を作製し、以下同様に磁性体グリーンシート2a、3a、4aのそれぞれに導体パターン2b、3b、4bを形成したコイル用グリーンシート2、3、4を作製した。また、上記切断したグリーンシートの印刷を施さない磁性体グリーンシート5を用意した。
　次にTiO2を主成分とするセラミック粉末を上記と同様にグリーンシートとし、これを所定の寸法に切断し、これらに上記と同様な方法によりAg導体ペーストを所定のパターンで印刷し、第3図に示すように誘電体グリーンシート6aに電極パターン6bを形成したコンデンサ用グリーンシート6を作製し、同様に誘電体グリーンシート7aに電極パターン7bを形成したコンデンサ用グリーンシート7を作製した。また、上記切断したグリーンシートの印刷を施さない誘電体グターンシート8を用意した。
　次に第4図(イ)に示すように、上記コンデンサ用グリーンシート7、6、7を重ね、その上方の側に二枚の誘電体グリーンシート8、8、その下方の側に一枚の誘電体グリーンシート8を重ねる。以下同様に順次4枚の磁性体グリーンシート5、5、5、5、コイル用グリーンシート4、2、3、2、3、2、3、2、1及び磁性体グリーンシート5、5、5を重ね、第4図(ロ)に示すように、熱圧着して一体化した後、900℃で1時間焼成して焼結体を得、インダクタ部Lとコンデンサ部Cからなる積層LCフィルタ本体を作製した。そして第4図(ハ)に示すように積層LCフィルタ本体の側面に導出されている上記パターンの焼成体に上記のAg導体ペーストを塗布して800℃で焼付け、さらにニッケルメッキ、はんだメッキを施して外部電極9、10、11、12、13を形成した。
　このようにして積層型LCフィルタが得られるが、この等価回路は第5図に示されるように、インダクタL1、L2を直列に接続し、その間と両側にコンデンサC1、C2、C3を並列に接続したLC回路となり、それぞれのインダクタ、コンデンサ及びその接続部の端子9′、10′、11′、12′、13′が上記外部端子9、10、11、12、13に順次対応する。上記得られた積層型LCフィルタの伝送特性を第6図に示すようにネットワークアナライザー14で測定したところ、第7図実線に示すような設計どおりのローパスフィルタの特性が得られた。
　この積層型LCフィルタについてそのインダクタの磁界の方向を見ると、第1図(イ)に示すように、上記積層した各コイル用グリーンシートに形成された導体パターン1b〜4bの焼成体を接続したものからなるインダクタl1とl2とはその発生する磁界が同一方向であり（矢印で示す）、このため隣り合った2つのインダクタ間には相互誘導はほとんど起こらない。なお、第1図(イ)中、C1、C2、C3は上記積層したコンデンサ用グリーンシートに形成された電極パターン6b、7bの焼成体により誘電体グリーンシート6a、7aの焼成体層を挟持したコンデンサである。」（第3 頁第19行〜第7頁第6行、第1〜7図参照）
・「上記実施例において、コイル用グリーンシート1〜4のAg導体パターン1b、2b、3b、4bを第8図に示す導体パターン1′b、2′b、3′b、4′bに変えた以外は同様に積層型LCフィルタを作製し、同様に伝送特性を測定したところ、第7図点線で示すローパスフィルタ特性が得られ、これは設計した特性とは大きくはずれた。この積層型LCフィルタのインダクタの磁界の方向を見ると、第1図(ロ)に示すように、上記積層した各コイル用グリーンシートに形成された導体パターン1′b〜4′bの焼成体を接続したものからなるインダクタl′1とl′2はその発生する磁界の方向が異なり（矢印で示す）、このため隣り合った2つのインダクタ間には強い相互誘導が生じ、伝送特性が設計したものから大きくはずれた。
　なお、第1図(ロ)中、L′、C′は第1図(イ)に対応するインダクタ部とコンデンサ部であり、C′1、C′2、C′3は第1図(イ)のC1、C2、C3に対応する。」（第7頁第8行〜第8頁第5行、第1、第7、第8図参照）
・「本考案によれば、積層型LCフィルタの複数設けたインダクタを、その発生する磁界の向きが同一方向になるように設けたので、隣接するインダクタ間の相互誘導を最小限にすることが可能となり、このため伝送特性を設計どおりにすることができる。」（第8頁第7〜12行）
（2-2）同じく引用された刊行物の特開昭６３ー３１３１０号公報（以下「引用例２」という。）には、その実施例及び図面第１、２図とこれに係わる記載を参酌すると、２つのコイル(L1、L2)とコンデンサ(C1〜C3)を接続して構成したLC複合部品（第1図(A)のLCフィルタ）において、「前記2つのコイルにより負の相互インダクタンス（第1図(A)のM）を形成して（2つのコイルを逆極性に磁気結合して）擬似的なコイル（第2図(A)のLY）を得るようにし、前記擬似的なコイル及びコンデンサ(C2)により共振回路を構成する」ことが記載されている。　
（2-3）同じく引用された刊行物の特開平５ー２６７９７２号公報（以下「引用例３」という。）には、その実施例及び図面とこれに係わる記載を参酌すると、コンデンサ用導体(42、44、49、53)が形成されたシート(17、18、20、21)とコイル用導体(29、32、35、58、61、64)が形成されたシート(11〜13、25〜27)を積層して、コンデンサとコイルを構成した積層型LC複合部品（積層T型LCフィルタ）が開示されており、このような積層型LC複合部品（積層T型LCフィルタ）において、「前記コンデンサ用導体の一部に周波数特性調整用（高周波特性改善用）の微小コイル(45、50)を形成し、この微小コイルを前記コンデンサ及びコイルで構成するLC回路に加える」ようにする技術的事項が記載されている。
（３）対比・判断
　本願の請求項１に係る発明（本願発明）と上記引用例１（第1図(イ)）に記載された発明とを対比すると、引用例１における「電極パターン(6b)(7b)」、「導体パターン(1b)〜(4b)」、「スルーホール」及び「積層型LCフィルタ」は、それぞれ本願発明の「コンデンサ用導体」、「コイル用導体」、「接続導体」及び「積層型LC複合部品」に相当するものと認められる。また、本願発明において「負の相互インダクタンスを形成」するとは、その具体的構成を参酌すると、２つのコイルから発生する磁束が互いに打ち消し合う様に構成されるものであって、引用例１（第1図(イ)）における構成においても、近接（隣接）して形成される２つのコイル（インダクタl1、l2）は、その発生する磁束が同一方向で互いに打ち消し合うのであるから、本願発明と同様に、当然「負の相互インダクタンスが形成」される（なお、他に原査定で引用された特開平8-46471号公報参照）ものといえ、両者間に差異を有するものとは認められない。
　したがって、両者は、以下のとおりの一致点及び相違点を有するものと認められる。
（一致点）
「コンデンサ用導体が形成されたシートを積層することによってコンデンサを構成し、コイル用導体が形成されたシートを積層するとともに、コイル用導体を接続導体によってシート間で接続することでコイルを構成した積層型ＬＣ複合部品において、
　シートの積層体に少なくとも２つのコイルを近接して形成することにより負の相互インダクタンスを形成した積層型ＬＣ複合部品。」
（相違点）
　本願発明にあっては、負の相互インダクタンスを形成して擬似的なコイルを得るとともに、コンデンサ用導体の一部に共振周波数調整用の微小コイルを形成し、この微小コイルに前記擬似的なコイル及びコンデンサを加えて共振回路を構成しているのに対して、引用例１にあっては、負の相互インダクタンスを形成するものの、擬似的なコイルを得るとの記載がなく、また共振周波数調整用の微小コイルを形成する等の構成を備えるものでない点、
（検討）
　前記相違点について検討すると、上記引用例２には、２つのコイルとコンデンサを接続して構成したＬＣ複合部品において、「前記2つのコイルにより負の相互インダクタンスを形成して擬似的なコイルを得るようにし、前記擬似的なコイル及びコンデンサにより共振回路を構成する」ことが記載されており、また上記引用例３には、コンデンサ用導体が形成されたシートとコイル用導体が形成されたシートを積層してコンデンサとコイルを構成した積層型ＬＣ複合部品において、「前記コンデンサ用導体の一部に周波数特性調整用の微小コイルを形成し、この微小コイルを前記コンデンサ及びコイルで構成するLC回路に加える」ようにする技術的事項が記載されているので、上記引用例１に記載されたものにおいても、引用例２、３に記載された技術的事項を参酌して本願発明のように構成することは当業者が容易になし得ることと認められる。　　　
　また、本願発明により奏する作用効果も、当業者が予測し得る程度のものであって格別のものとは認められない。
（４）むすび
　以上のとおりであって、本願の特許請求の範囲の請求項１に係る発明は、前記引用例１乃至３に記載された発明に基づいて当業者が容易に発明をすることができたものと認められるので、特許法第２９条第２項の規定により特許を受けることができない。
　したがって、本願は、その余の請求項について論及するまでもなく、拒絶すべきものである。
　よって、結論のとおり審決する。